(57)【要約】【課題】性能の劣化を防止できるとともに、操作感触を軽くすることができるスイッチ装置の提供。【解決手段】回動可能に設けられる操作部材１０と、この操作部材１０の回動に伴って移動する移動部材２０と、この移動部材２０の移動に伴って移動する可動接点４０と、この可動接点４０が接離する左固定接点５１および右固定接点５２とを備えるスイッチ装置において、操作部材１０と移動部材２０をリンク機構により結合した。このリンク機構は、操作部材１０の回動中心よりも上方に設けてあり、操作部材１０の下部に設けられる軸１２と、移動部材２０の上部に設けられ軸１２が上下方向へ摺動可能に挿入される長孔２７からなる。【選択図】図３
2006147243.tif 000002
【特許請求の範囲】
【請求項１】
回動可能に設けられる操作部材と、この操作部材の回動に伴って移動する移動部材と、この移動部材の移動に伴って移動する可動接点と、この可動接点が接離する固定接点とを備え、
前記操作部材と前記移動部材をリンク機構により結合することによって前記操作部材の回動に伴って前記移動部材が移動するようにしたことを特徴とするスイッチ装置。
【請求項２】
請求項１記載の発明において、
前記リンク機構が、前記操作部材および前記移動部材のいずれか一方に設けられる軸と、他方に設けられ前記軸が上下方向へ摺動可能に挿入される挿入部とからなることを特徴とするスイッチ装置。
【請求項３】
請求項１記載の発明において、
前記操作部材の回動中心よりも上方に、前記リンク機構を設けたことを特徴とするスイッチ装置。
【請求項４】
請求項１記載の発明において、
前記可動接点が前記固定接点を挟持した状態で前記固定接点に接触するように前記固定接点および前記可動接点を設けたことを特徴とするスイッチ装置。
【発明の詳細な説明】
【技術分野】
【０００１】
本発明は、操作部材を回動操作することによって可動接点を固定接点に接触させることが可能なスイッチ装置に関する。
【背景技術】
【０００２】
従来のスイッチ装置としては、特許文献１に示される従来技術がある。この従来技術は、回動可能に設けられる操作部材と、操作部材の回動に伴って移動する移動部材と、移動部材の移動に伴って移動する可動接点と、この可動接点が接離する固定接点とを備えている。操作部材と移動部材は、ギア機構により結合されており、これによって操作部材の回動に伴って移動部材が移動するようになっている。
【特許文献１】特開２００３−１３２７６５号公報
【発明の開示】
【発明が解決しようとする課題】
【０００３】
前述の従来技術は、操作部材と移動部材がギア機構により結合されている。このため、操作部材と移動部材との結合部の磨耗に伴って性能が劣化するという問題がある。さらに、操作感触が重たくなるという問題がある。
【０００４】
本発明は、前述の実状を考慮してなされたもので、その目的は、性能の劣化を防止できるとともに、操作感触を軽くすることができるスイッチ装置を提供することにある。
【課題を解決するための手段】
【０００５】
〔１〕  本発明は、前述の目的を達成するために、回動可能に設けられる操作部材と、この操作部材の回動に伴って移動する移動部材と、この移動部材の移動に伴って移動する可動接点と、この可動接点が接離する固定接点とを備え、前記操作部材と前記移動部材をリンク機構により結合することによって前記操作部材の回動に伴って前記移動部材が移動するようにしたことを特徴とする。
【０００６】
このように構成した本発明では、操作部材と移動部材をリンク機構により結合することによって操作部材の回動に伴って移動部材が移動するようにしたので、操作部材と移動部材をギア機構により結合した場合のように操作部材と移動部材の結合部に性能が劣化するほどの磨耗が生じるということがない。また、操作部材と移動部材をギア機構により結合したものよりも操作感触を軽くすることができる。
【０００７】
〔２〕  本発明は、〔１〕記載の発明において、前記リンク機構が、前記操作部材および前記移動部材のいずれか一方に設けられる軸と、他方に設けられ前記軸が上下方向へ摺動可能に挿入される挿入部とからなることを特徴とする。
【０００８】
〔３〕  本発明は、〔１〕記載の発明において、前記操作部材の回動中心よりも上方に、前記リンク機構を設けたことを特徴とする。
【０００９】
〔４〕  本発明は、〔１〕記載の発明において、前記可動接点が前記固定接点を挟持した状態で前記固定接点に接触するように前記固定接点および前記可動接点を設けたことを特徴とする。
【発明の効果】
【００１０】
本発明では、操作部材と移動部材をリンク機構により結合することによって操作部材の回動に伴って移動部材が移動するようにしたので、操作部材と移動部材をギア機構により結合した場合のように操作部材と移動部材の結合部に性能が劣化するほどの磨耗が生じるということがない。これにより、性能の劣化を防止できる。
【００１１】
さらに、操作部材と移動部材をギア機構により結合したものよりも操作感触を軽くすることができる。
【発明を実施するための最良の形態】
【００１２】
本発明のスイッチ装置の一実施形態について図１〜４を用いて説明する。図１は、本実施形態の分解斜視図、図２は、本実施形態の要部を断面にした斜視図、図３は、本実施形態に備えられる操作部材が操作されていないときの移動部材、可動接点の状態を示す図、図４は、図３に示す操作部材が左方向へ回動操作されたときの移動接点、可動接点の状態を示す図である。
【００１３】
本実施形態は、図１〜４に示すスイッチ装置である。図１〜４において、１は、スイッチ装置の本体である。この本体１には、操作部材１０を回動可能に取付けてある。２は、本体１の上部に形成され、本体１の背部を形成する壁部から前方向へ延びる回動軸である。１１は、操作部材１０の下部に形成され、回動軸２が挿入される軸孔である。
【００１４】
３０は、操作部材１０を回動軸２から抜けないように留める留め部材である。この留め部材３０は、軸孔１１よりも大きな径寸法の頭部３１と、軸孔１１よりも小さな径寸法の頚部３２とを形成してなる。３は、回動軸２の端部の中央に形成され、留め部材３０の頚部３２が嵌合する嵌合穴である。留め部材３０の頚部３２は、軸孔１１に挿入され状態で嵌合穴３に嵌合している。
【００１５】
２０は、操作部材１０の回動に伴って移動する移動部材である。この移動部材２０には、左右方向に沿って延びるガイド溝２１を形成してある。本体１には、ガイド溝２１が摺動可能に嵌合するレール４を形成してある。つまり、移動部材２０は、ガイド溝２１とレール４にガイドによって、左右方向へスライド可能に支持されている。
【００１６】
また、移動部材２０の下部には、左右方向に沿って延びる切欠き２２を形成してある。本体１には、ガイド溝２１がレール４に嵌合した状態において切欠き２２に係合し、移動部材２０の前方向への移動を阻止する突起５を形成してある。
【００１７】
４０は、移動部材２０の移動に伴って移動する可動接点である。この可動接点４０は、移動部材２０に形成された嵌合溝２３に嵌合してある。５１，５２は、可動接点４０が接離する左固定接点、右固定接点である。これら左固定接点５１、右固定接点５２の間には、可動接点４０が常時接触する中央接点５０を設けてある。
【００１８】
左固定接点５１、右固定接点５２および中央接点５０のそれぞれは、板状に形成してあり、本体１内において前方向へ突出させてある。可動接点４０は、左固定接点５１、右固定接点５２および中央接点５０のそれぞれを挟持した状態でこれら左固定接点５１、右固定接点５２および中央接点５０のそれぞれに接触するように、コ字状に屈曲させてある。
【００１９】
可動接点４０の左右方向の幅寸法は、中央接点５０の左右方向の幅寸法とほぼ同じ寸法に設定してある。可動接点４０の中央には、中央接点５０を常時挟持する中央挟持部４１を形成してある。可動接点４０の左側部には、可動接点４０が左方向へ移動したときに左固定接点５１を挟持する左挟持部４２を形成してある。可動接点４０の右側部には、可動接点４０が右方向へ移動したときに右固定接点５２を挟持する右挟持部４３を形成してある。つまり、可動接点４０は、左方向へ移動したときに、中央挟持部４１により中央接点５０を挟持するとともに左挟持部４２により左固定接点５１を挟持して、中央接点５０と左固定接点５１を接続するようになっており、右方向へ移動したときに、中央挟持部４１により中央接点５０を挟持するとともに右挟持部４３により右固定接点５２を挟持して、中央接点５０と右固定接点５２を接続するようになっている。
【００２０】
７０は、可動接点４０が中央接点５０のみを挟持する位置に移動部材２０を復帰させるためのコイルばねである。移動部材２０には、コイルばね７０を格納するばね格納部２４を形成してある。このばね格納部２４の右端には、移動部材２０の左方向への移動時に、コイルばね７０の右端を左方向へ押圧する右押圧部２６を形成してあり、ばね格納部２４の左端には、移動部材２０の右方向への移動時に、コイルばね７０の左端を右方向へ押圧する左押圧部２５を形成してある（図３，４参照）。また、本体１には、右押圧部２６に形成されたスリット２６ａに摺動可能に挿入される突出部からなり、コイルばね７０の右方向への移動を規制する右規制部７と、左押圧部２５に形成されたスリット２５ａに摺動可能に挿入される突出部からなり、コイルばね７０の左方向への移動を規制する左規制部６とを設けてある（図３，４参照）。
【００２１】
操作部材１０と移動部材２０は、リンク機構により結合してある。このリンク機構は、例えば、操作部材１０の回動中心よりも上方に設けてあり、操作部材１０および移動部材２０のいずれか一方、例えば操作部材１０から前方向へ突出する軸１２と、他方すなわち移動部材２０に形成され軸１２が上下方向へ摺動可能に挿入される挿入部、例えば、上下方向に長い長孔２７とからなる。
【００２２】
８０は、操作部材１０の上部に取付けられるつまみである。操作部材１０には、上方向へ延びる一対のスナップ爪１３，１４を形成してある。つまみ８０には、一対のスナップ爪１３，１４が挿入される縦穴８１と、縦穴８１に連続し、スナップ爪１３，１４と係合する横孔８２とを形成してある。
【００２３】
９０は、本体１の上側部分８を覆う筒状部９１と、本体１の下側部分９の左右両側部にスナップ結合する一対の結合部９２，９３とが形成されたケースである。操作部材１０は、ケース９０の上部開口９１ａから突出するように設けてある。
【００２４】
１００は、ケース９０と本体１との間に配置され、本体１の上側部分８を覆うゴム製の防水カバーである。この防水カバー１００の上端部１０２には、操作部材１０が挿入される貫通孔１０１を形成してある。防水カバー１００の上端部１０２は、操作部材１０に形成された円柱部１５の上面と、つまみ８０の下部に形成されたリング部８３とによって挟持されており、これにより貫通孔１０１からの浸水が防止されている。また、防水カバー１００の下端部には、鍔１０３を形成してある。この鍔１０３は、ケース９０の筒状部９１の下端面９１ｂと、本体１の下側部分９の上端面９ａとによって挟持されており（図２参照）、これによりケース９０と本体１の隙間からの浸水が防止されている。
【００２５】
６０は、本体１の下端面９ｂのほぼ中央から突出する中央端子であり、６１は、下端面９ｂの左側部から突出する左端子であり、６１は、下端面９ｂの右側部から突出する右端子である。中央端子６０と中央接点５０、左端子６１と左固定接点、右端子６２と右固定接点５２はそれぞれ一体に形成してあり、インサート成形により本体１に設けてある。
【００２６】
このように構成した本実施形態の動作を図３，４を用いて説明する。
【００２７】
図３に示すように、操作部材１０が回動操作されていない状態において、移動部材２０は、コイルばね７０の弾性力によって、本体１の上側部分８のほぼ中央に保持されている。この状態において、可動接点４０の中央挟持部４１、左挟持部４２および右挟持部４３は、中央接点５０を挟持している。つまり、中央接点５０は左固定接点５１および右固定接点５２のどちらにも接続されていない。
【００２８】
図４に示すように、操作部材１０が例えば左方向へ回動操作された場合、リンク機構の軸１２は、回動軸２を中心とする円弧に沿って左斜め下方へ移動する。したがって、軸１２は、長孔２７内を下方向へ移動するとともに、移動部材２０を左方向へ押圧する。これにより、移動部材２０は、右押圧部２６よりコイルばね７０の右端を押圧して、コイルばね７０を圧縮しながら左方向へ移動する。
【００２９】
このようにして移動部材２０が左方向へ移動すると、可動接点４０は移動部材２０とともに左方向へ移動して、中央挟持部４１により中央接点５０を挟持するとともに左挟持部４２により左固定接点５１を挟持する。これにより、中央接点５０と左固定接点５１が接続される。
【００３０】
操作部材１０が右方向へ回動操作された場合は、図示しないが、リンク機構の軸１２は、回動軸２を中心とする円弧に沿って右斜め下方へ移動する。したがって、軸１２は、長孔２７内を下方向へ移動するとともに、移動部材２０を右方向へ押圧する。これにより、移動部材２０は、左押圧部２５よりコイルばね７０の左端を押圧して、コイルばね７０を圧縮しながら右方向へ移動する。
【００３１】
このようにして移動部材２０が右方向へ移動すると、可動接点４０は移動部材２０とともに右方向へ移動して、中央挟持部４１により中央接点５０を挟持するとともに右挟持部４３により右固定接点５２を挟持する。これにより、中央接点５０と右固定接点５２が接続される。
【００３２】
本実施形態によれば次の効果を得られる。
【００３３】
本実施形態では、操作部材１０と移動部材２０をリンク機構により結合することによって操作部材１０の回動に伴って移動部材２０が移動するようにしたので、従来技術のように操作部材と移動部材をギア機構により結合したもののように操作部材と移動部材の結合部に性能が劣化するほどの磨耗が生じるということがない。これにより、性能の劣化を防止できる。
【００３４】
また、従来技術のように操作部材と移動部材をギア機構により結合したものよりも、操作感触を軽くすることができる。
【００３５】
また、本実施形態では、操作部材１０の回動中心よりも上方にリンク機構を設けることによって、操作部材１０が左方向へ回動したときに移動部材２０が左方向へ移動して可動接点４０と左固定接点５１が接触し、操作部材１０が右方向へ回動したときに移動部材２０が右方向へ移動して可動接点４０と右固定接点５２が接触するようにした。これにより、操作部材１０の左方向への回動操作により生成される信号を導出する左端子６１を、スイッチ装置の左側に設けやすく、操作部材１０の右方向への回動操作により生成される信号を導出する右端子６２を、スイッチ装置の右側に設けやすい。
【００３６】
なお、本実施形態では、リンク機構の一例として、操作部材１０に設けれる軸１２と、移動部材２０に設けられ軸１２が上下方向へ摺動可能に挿入される長孔２７とを備えるものを挙げたが、本発明はこれに限るものではなく、操作部材１０に長孔を設け、移動部材２０に軸を設けてもよい。また、軸を挿入する挿入部は長孔２７のように貫通した孔ではなく、凹部でもよい。
【図面の簡単な説明】
【００３７】
【図１】本発明の一実施形態の分解斜視図である。
【図２】本発明の一実施形態の要部を断面にした斜視図である。
【図３】本発明の一実施形態に備えられる操作部材が操作されていないときの移動部材および可動接点の状態を示す図である。
【図４】図３に示す操作部材が左方向へ回動操作されたときの移動部材および可動接点の状態を示す図である。
【符号の説明】
【００３８】
１          本体
２          回動軸
３          嵌合穴
４          レール
５          突起
６          左規制部
７          右規制部
８          上側部分
９          下側部分
９ａ        上端面
９ｂ        下端面
１０        操作部材
１１        軸孔
１２        軸
１３，１４  スナップ爪
１５        円柱部
２０        移動部材
２１        ガイド溝
２２        切欠き
２３        嵌合溝
２４        ばね格納部
２５        左押圧部
２５ａ      スリット
２６        右押圧部
２６ａ      スリット
２７        長孔
３０        留め部材
３１        頭部
３２        頚部
４０        可動接点
４１        中央挟持部
４２        左挟持部
４３        右挟持部
５０        中央接点
５１        左固定接点
５２        右固定接点
６０        中央端子
６１        左端子
６２        右端子
７０        コイルばね
８０        つまみ
８１        縦穴
８２        横孔
８３        リング部
９０        ケース
９１        筒状部
９１ａ      上部開口
９１ｂ      下端面
９２，９３  結合部
１００      防水カバー
１０１      貫通孔
１０２      上端部
１０３      鍔
【図１】
2006147243.tif 000003
【図２】
2006147243.tif 000004
【図３】
2006147243.tif 000005
【図４】
2006147243.tif 000006